【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
フラクタル流デバイスであって、
少なくとも１つのフラクタルパックを備え、前記少なくとも１つのフラクタルパックは、
少なくとも２つのフラクタルセルを備え、各フラクタルセルが、フラクタル分配器と、前記フラクタル分配器に隣接し、流体処理媒体を含むチャンバと、前記チャンバに隣接するフラクタル回収器と、を備え、
前記少なくとも２つのフラクタルセルのうち１つのフラクタルセルのフラクタル分配器は、１つまたは複数の締付要素により、前記少なくとも２つのフラクタルセルのうち別のフラクタルセルの少なくとも１つのフラクタル回収器との直接接触した状態に維持され、前記少なくとも２つのフラクタルセルは、前記少なくとも２つのフラクタルセルを支持構造上で水平方向に配置するように構成された肩部を備える、フラクタル流デバイス。
【請求項２】
前記フラクタル分配器、前記チャンバ、および前記フラクタル回収器が互いに流体連通している、請求項１に記載のフラクタル流デバイス。
【請求項３】
前記フラクタル分配器および前記フラクタル回収器の各々が、フラクタルパターンを備える、請求項１または２に記載のフラクタル流デバイス。
【請求項４】
前記少なくとも２つのフラクタルセルが、互いに隣接して水平に配置されている、請求項１〜３のいずれか１項に記載のフラクタル流デバイス。
【請求項５】
前記少なくとも２つのフラクタルセルが、互いに隣接して垂直に配置されている、請求項１〜３のいずれか１項に記載のフラクタル流デバイス。
【請求項６】
前記フラクタル分配器および前記フラクタル回収器の各々が、フラクタルパターンを有する少なくとも１つのフラクタルプレートを備える、請求項１〜５のいずれか１項に記載のフラクタル流デバイス。
【請求項７】
前記フラクタル分配器および前記フラクタル回収器の前記フラクタルパターンが同一である、請求項６に記載のフラクタル流デバイス。
【請求項８】
前記フラクタル分配器および前記フラクタル回収器の前記フラクタルパターンが異なる、請求項６に記載のフラクタル流デバイス。
【請求項９】
前記フラクタル分配器および前記フラクタル回収器は、同じ数のフラクタルプレートを備える、請求項６に記載のフラクタル流デバイス。
【請求項１０】
前記フラクタル分配器または前記フラクタル回収器の前記少なくとも１つのフラクタルプレートが、少なくとも１つのフラクタルプレート流入口と、少なくとも１つのフラクタルプレート排出口と、前記少なくとも１つのフラクタルプレート流入口および前記少なくとも１つのフラクタルプレート排出口と流体連通する少なくとも１つのチャネルと、を備える、請求項６に記載のフラクタル流デバイス。
【請求項１１】
前記フラクタル分配器は、６８９個／ｍ２より大きい排出口密度を備える、請求項１０に記載のフラクタル流デバイス。
【請求項１２】
前記フラクタル分配器は、３つのフラクタルプレートを備え、前記３つのフラクタルプレートのうち第１のフラクタルプレートは１つのフラクタルプレート流入口および４つのフラクタルプレート排出口を備え、前記３つのフラクタルプレートのうち第２のフラクタルプレートは４つのフラクタルプレート流入口および１６個のフラクタルプレート排出口を備え、前記３つのフラクタルプレートのうち第３のフラクタルプレートは１６個のフラクタルプレート流入口および２５６個のフラクタルプレート排出口を備える、請求項６に記載のフラクタル流デバイス。
【請求項１３】
前記フラクタル回収器は、３つのフラクタルプレートを備え、前記３つのフラクタルプレートのうち第１のフラクタルプレートは２５６個のフラクタルプレート流入口および１６個のフラクタルプレート排出口を備え、前記３つのフラクタルプレートのうち第２のフラクタルプレートは１６個のフラクタルプレート流入口および４つのフラクタルプレート排出口を備え、前記３つのフラクタルプレートのうち第３のフラクタルプレートは４つのフラクタルプレート流入口および１つのフラクタルプレート排出口を備える、請求項６に記載のフラクタル流デバイス。
【請求項１４】
前記流体処理媒体は、イオン交換樹脂を含む、請求項１に記載のフラクタル流デバイス。
【請求項１５】
前記少なくとも１つのフラクタルパックが、直列運転、並列運転、一次／二次直列運転、模擬移動層運転、またはカルーセル型流体運転のために構成される、請求項１〜１４のいずれか１項に記載のフラクタル流デバイス。
【請求項１６】
前記１つまたは複数の締付要素が、前記少なくとも１つのフラクタルパックの前記少なくとも２つのフラクタルセルを固定する、請求項１〜１５のいずれか１項に記載のフラクタル流デバイス。
【請求項１７】
前記１つまたは複数の締付要素が、エンドプレート、支持ヘッド、液圧プレス、液圧ジャッキ、およびボルトから成る群から選択される、請求項１〜１６のいずれか１項に記載のフラクタル流デバイス。
【請求項１８】
フラクタル流デバイスを使用する方法であって、
フラクタル流デバイスに流体流れを導入することであって、前記流体流れは複数の成分を含み、前記フラクタル流デバイスは少なくとも１つのフラクタルパックを備え、前記少なくとも１つのフラクタルパックが、
少なくとも２つのフラクタルセルを備え、各フラクタルセルが、フラクタル分配器と、前記フラクタル分配器に隣接し、流体処理媒体を含むチャンバと、前記チャンバに隣接するフラクタル回収器とを備え、前記少なくとも２つのフラクタルセルのうち１つのフラクタルセルのフラクタル分配器は、１つまたは複数の締付要素により、前記少なくとも２つのフラクタルセルのうち別のフラクタルセルの少なくとも１つのフラクタル回収器との直接接触した状態に維持され、前記少なくとも２つのフラクタルセルは、前記少なくとも２つのフラクタルセルを支持構造上で水平方向に配置するように構成された肩部を備える、導入することと、
前記少なくとも１つのフラクタルパックを通して流体流れを流すことと、
前記流体流れから少なくとも１つの成分を分離して生成物流れを生成することと、を含む、方法。
【請求項１９】
前記少なくとも１つのフラクタルパックを通して前記流体流れを流すことが、並列の前記少なくとも２つのフラクタルセルを通して前記流体流れを流すことを含む、請求項１８に記載の方法。
【請求項２０】
前記少なくとも１つのフラクタルパックを通して前記流体流れを流すことが、直列の少なくとも２つのフラクタルパックを通して前記流体流れを流すことを含む、請求項１８に記載の方法。
【請求項２１】
前記少なくとも１つのフラクタルパックを通して前記流体流れを流すことが、コネクタ要素を備えるフラクタルプレ分配器を通して前記流体流れを流すことを含む、請求項１８〜２０のいずれか１項に記載の方法。
【請求項２２】
前記少なくとも１つのフラクタルパックを通して前記流体流れを流すことが、流体処理媒体の層を含むチャンバを通して前記流体流れを均一に分配することを含む、請求項１８〜２１のいずれか１項に記載の方法。
【請求項２３】
前記１つまたは複数の締付要素が、１つまたは複数のエンドプレート、１つまたは複数の支持ヘッド、１つまたは複数の液圧プレス、１つまたは複数の液圧ジャッキ、および１つまたは複数のボルト、ならびにこれらの組合せから成る群から選択される、請求項１に記載のフラクタル流デバイス。
【請求項２４】
前記１つまたは複数の締付要素が、前記少なくとも１つのフラクタルパックの両端のみに位置する、請求項１に記載のフラクタル流デバイス。
【請求項２５】
前記フラクタル流デバイスが、２つ以上のフラクタルパックを備え、前記２つ以上のフラクタルパックが、直列に構成されている、請求項１に記載のフラクタル流デバイス。
【請求項２６】
前記フラクタル流デバイスが、２つ以上のフラクタルパックを備え、前記２つ以上のフラクタルパックが、並列に構成されている、請求項１に記載のフラクタル流デバイス。
【請求項２７】
前記少なくとも１つのフラクタルパックの外部に位置するコネクタ要素をさらに備える、請求項１に記載のフラクタル流デバイス。
【請求項２８】
前記少なくとも１つのフラクタルパックの内部に位置するコネクタ要素をさらに備える、請求項１に記載のフラクタル流デバイス。
【請求項２９】
前記少なくとも１つのフラクタルパックを通して前記流体流れを流すことが、前記少なくとも１つのフラクタルパックを通して垂直方向に前記流体流れを流すことを含む、請求項１８に記載の方法。
【請求項３０】
前記少なくとも１つのフラクタルパックを通して前記流体流れを流すことが、前記少なくとも１つのフラクタルパックを通して水平方向に前記流体流れを流すことを含む、請求項１８に記載の方法。